(57)【要約】【課題】機器の保全作業又は保全結果の記録作業において、正確な作業を支援するとともに作業効率の向上を図ることができる、機器保全装置、機器保全システム、機器保全方法、機器保全プログラム及び記録媒体を提供する。【解決手段】機器保全装置は、機器の保全に係る保全情報を表示する保全情報表示部と、表示された保全情報とともに、保全対象の複数の機器に対する保全項目をリストにした保全リストを表示するリスト表示部と、保全対象の機器に対して保全を実行する保全実行部と、を備え、リスト表示部は、保全が実行された保全項目の表示態様を変更して保全リストを表示する。【選択図】図２
2019016413.tif 000002
【特許請求の範囲】
【請求項１】
機器の保全に係る保全情報を表示する保全情報表示部と、
表示された前記保全情報とともに、保全対象の複数の機器に対する保全項目をリストにした保全リストを表示するリスト表示部と、
前記保全対象の機器に対して保全を実行する保全実行部と、
を備え、
前記リスト表示部は、保全が実行された前記保全項目の表示態様を変更して前記保全リストを表示する、
機器保全装置。
【請求項２】
前記リスト表示部は、１つの作業対象において複数の前記保全項目を含む前記保全リストを表示する、請求項１に記載の機器保全装置。
【請求項３】
前記リスト表示部は、実行された前記保全の結果を出力するための操作手段を表示する、請求項１又は２に記載の機器保全装置。
【請求項４】
前記保全リストを作成するリスト作成部をさらに備え、
前記リスト表示部は、作成された前記保全リストを表示する、請求項１から３のいずれか一項に記載の機器保全装置。
【請求項５】
前記保全情報を取得する保全情報取得部をさらに備え、
前記リスト作成部は、取得された前記保全情報に基づき前記保全リストを作成する、請求項４に記載の機器保全装置。
【請求項６】
前記保全情報取得部は、実行された前記保全の結果を前記保全情報として取得する、請求項５に記載の機器保全装置。
【請求項７】
前記リスト作成部は、１つの作業対象において複数の前記保全項目を含む前記保全リストを作成する、請求項２に従属する請求項４から６のいずれか一項に記載の機器保全装置。
【請求項８】
請求項１から３のいずれか一項に記載の機器保全装置と、
前記機器保全装置と通信可能に接続される外部装置と
を備え、
前記外部装置は、前記保全リストを作成するリスト作成部をさらに備え、
前記機器保全装置は、前記外部装置において作成された前記保全リストを取得する保全リスト取得部をさらに備える、機器保全システム。
【請求項９】
保全対象の複数の機器に対する保全項目をリストにした保全リストを作成するリスト作成ステップと、
前記機器の保全に係る保全情報を表示する保全情報表示ステップと、
表示された前記保全情報とともに、作成された前記保全リストを表示するリスト表示ステップと、
前記保全対象の機器に対して保全を実行する保全実行ステップと、
保全が実行された前記保全項目の表示態様を変更して前記保全リストを表示するステップと
を含む、機器保全方法。
【請求項１０】
機器の保全に係る保全情報を表示する保全情報表示処理と、
表示された前記保全情報とともに、保全対象の複数の機器に対する保全項目をリストにした保全リストを表示するリスト表示処理と、
前記保全対象の機器に対して保全を実行する保全実行処理と、
保全が実行された前記保全項目の表示態様を変更して前記保全リストを表示する処理と、
をコンピュータに実行させる、機器保全プログラム。
【請求項１１】
機器の保全に係る保全情報を表示する保全情報表示処理と、
表示された前記保全情報とともに、保全対象の複数の機器に対する保全項目をリストにした保全リストを表示するリスト表示処理と、
前記保全対象の機器に対して保全を実行する保全実行処理と、
保全が実行された前記保全項目の表示態様を変更して前記保全リストを表示する処理と、
をコンピュータに実行させる機器保全プログラムが記録された記録媒体。
【発明の詳細な説明】
【技術分野】
【０００１】
本発明は、機器保全装置、機器保全システム、機器保全方法、機器保全プログラム及び記録媒体に関する。
【背景技術】
【０００２】
従来から、化学等の工業プラント、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等のプラントや工場等（以下、これらを総称する場合には「プラント」という）においては、フィールド機器と呼ばれる測定器又は操作器等の現場機器と、これらを制御する制御装置とが通信手段を介して接続された分散制御システム（ＤＣＳ：Ｄｉｓｔｒｉｂｕｔｅｄ  Ｃｏｎｔｒｏｌ  Ｓｙｓｔｅｍ）が構築されており、高度な自動操業が実現されている。このような分散制御システムが構築されたプラントにおいては、異常な動作の予防、測定精度の維持等の観点から、作業者によるフィールド機器（以下、「機器」と略す場合がある。）の保全が定期又は不定期に行われる。
【０００３】
フィールド機器の保全は、例えば、フィールド機器との間で有線通信又は無線通信が可能な機器保全装置を用いて行われ。この機器保全装置は、例えばフィールド機器の保全を行うための専用のプログラムがインストールされた、ノート型又はタブレット型のコンピュータ、ＰＤＡ（Ｐｅｒｓｏｎａｌ  Ｄｉｇｉｔａｌ  Ａｓｓｉｓｔａｎｔ）、又はスマートフォン等である。フィールド機器の保全項目には、例えば、保全対象のフィールド機器に設定されている機器情報（パラメータ）の内容を読み出して確認する確認作業、新たな機器情報を保全対象のフィールド機器に設定する設定作業等、保全対象のフィールド機器に応じた様々な保全作業が含まれる。また、保全項目には、設備の配管の腐食等をチェックする目視によるチェック、設備のモータの回転音、ポンプの動作音等をチェックする聴覚によるチェック、又は設備の配管やタンクからの液体又は気体の漏れを臭いによってチェックする嗅覚によるチェック等があり、チェック結果を機器保全装置に記録する場合がある。
【０００４】
機器保全装置は、有線通信又は無線通信を介してフィールド機器と接続して、接続されたフィールド機器の一覧を表示画面に表示する（例えば、特許文献１を参照）。保全を行う作業者は、保全対象のフィールド機器とそのフィールド機器に対して実施する保全項目とを対応付けてリスト化した保全リスト（「ＴｏＤｏリスト」ともいう。）を確認しながら、表示画面に表示されたフィールド機器の保全を順次実施する。保全リストは、表作成プログラム又は文書作成プログラム等を用いて作成されて、表作成プログラムのデータとしてノート型ＰＣ等に表示され、又は紙に印字される。作業者は、保全を実施した結果を保全リストと対比して順次記録する。
【先行技術文献】
【特許文献】
【０００５】
【特許文献１】特開２０１５−１０９０１１号公報
【発明の概要】
【発明が解決しようとする課題】
【０００６】
しかし、プラント内に保全対象のフィールド機器が大量に、あるいは機種の異なる機器が存在すると、様々なフィールド機器にそれぞれ対応した保全項目における保全作業が必要となり、保全作業の頻度も高くなる。したがって、保全作業の度に保全対象のフィールド機器や保全項目の異なるＴｏＤｏリストを作成して、保全対象のフィールド機器にそれぞれ対応した保全項目を記入（入力）しなければならず、保全リスト作成時に保全対象のフィールド機器を特定するタグやＩＤ、そのフィールド機器に対する保全項目等の誤記入が発生しやすくなって、保全結果の記録作業において作業効率が低下する場合があった。
【０００７】
また、作業者は、保全リストに記入された保全項目を確認しながら、機器保全装置をフィールド機器に接続し、機器保全装置を操作して保全項目を設定して保全作業を実施し、あるいは目視等によるチェックを実施し、さらに保全作業の結果を記録しなければならず、保全作業の作業効率が低下する場合があった。また、保全リストを確認しながらの上記作業においては、保全リストの誤確認による誤接続、誤設定、保全項目の実施漏れ、保全記録の誤記入等が発生する場合があった。
【０００８】
本発明は上記事情に鑑みてなされたものであり、機器の保全作業又は保全結果の記録作業において、正確な作業を支援するとともに作業効率の向上を図ることができる、機器保全装置、機器保全システム、機器保全方法、機器保全プログラム及び記録媒体を提供することを目的とする。
【課題を解決するための手段】
【０００９】
上記の課題を解決するため、本発明の機器保全装置は、機器の保全に係る保全情報を表示する保全情報表示部と、表示された前記保全情報とともに、保全対象の機器に対する保全項目をリストにした保全リストを表示して、前記保全項目を指定可能にするリスト表示部と、前記保全対象の機器に対して指定された前記保全項目に基づく保全を実行する保全実行部とを備える。
【００１０】
また、本発明の機器保全装置において、前記リスト表示部は、保全が実行された前記保全項目の表示態様を変更して前記保全リストを表示する。
【００１１】
また、本発明の機器保全装置において、前記リスト表示部は、複数の前記保全項目を指定可能に表示する。
【００１２】
また、本発明の機器保全装置において、前記リスト表示部は、１つの作業対象において複数の前記保全項目を含む前記保全リストを表示して、複数の前記保全項目の中から前記保全項目を指定可能にする。
【００１３】
また、本発明の機器保全装置において、前記リスト表示部は、実行された前記保全の結果を出力するための操作手段を表示する。
【００１４】
また、本発明の機器保全装置において、前記保全リストを作成するリスト作成部をさらに備え、前記リスト表示部は、作成された前記保全リストを表示する。
【００１５】
また、本発明の機器保全装置において、前記保全情報を取得する保全情報取得部をさらに備え、前記リスト作成部は、取得された前記保全情報に基づき前記保全リストを作成する。
【００１６】
また、本発明の機器保全装置において、前記保全情報取得部は、実行された前記保全の結果を前記保全情報として取得する。
【００１７】
また、本発明の機器保全装置において、前記リスト作成部は、１つの作業対象において複数の前記保全項目を含む前記保全リストを作成する。
【００１８】
上記の課題を解決するため、本発明の機器保全システムは、前記機器保全装置と、前記機器保全装置と通信可能に接続される外部装置とを備え、前記外部装置は、前記保全リストを作成するリスト作成部をさらに備え、前記機器保全装置は、前記外部装置において作成された前記保全リストを取得する保全リスト取得部をさらに備える。
【００１９】
上記の課題を解決するため、本発明の機器保全方法は、保全対象の機器に対する保全項目をリストにした保全リストを作成するリスト作成ステップと、前記機器の保全に係る保全情報を表示する保全情報表示ステップと、表示された前記保全情報とともに作成された前記保全リストを表示して、前記保全項目を指定可能にするリスト表示ステップと、前記保全対象の機器に対して指定された前記保全項目に基づく保全を実行する保全実行ステップとを含む。
【００２０】
上記の課題を解決するため、本発明の機器保全プログラムは、機器の保全に係る保全情報を表示する保全情報表示処理と、表示された前記保全情報とともに、保全対象の機器に対する保全項目をリストにした保全リストを表示して、前記保全項目を指定可能にするリスト表示処理とをコンピュータに実行させる。
【００２１】
上記の課題を解決するため、本発明の記録媒体は、機器の保全に係る保全情報を表示する保全情報表示処理と、表示された前記保全情報とともに、保全対象の機器に対する保全項目をリストにした保全リストを表示して、前記保全項目を指定可能にするリスト表示処理とをコンピュータに実行させる機器保全プログラムが記録されている。
【発明の効果】
【００２２】
本発明によれば、機器の保全作業又は保全結果の記録作業において、正確な作業を支援するとともに作業効率の向上を図ることができる、機器保全装置、機器保全システム、機器保全方法、機器保全プログラム及び記録媒体を提供することができる。
【図面の簡単な説明】
【００２３】
【図１】実施形態における機器保全装置のハードウェア構成の一例を示すブロック図である。
【図２】実施形態における機器保全装置の機能構成の一例を示すブロック図である。
【図３】実施形態における機器保全装置が表示する保全情報とＴｏＤｏリストの一例を示す図である。
【図４】実施形態における機器保全装置が表示するＴｏＤｏリストの詳細の一例を示す図である。
【図５】実施形態における機器保全装置が表示する手入力によるＴｏＤｏリストの作成画面の一例を示す図である。
【図６】実施形態における機器保全装置が表示する保全情報に基づくＴｏＤｏリストの作成画面の一例を示す図である。
【図７】実施形態における機器保全装置がＴｏＤｏリストの作成時に取得する機器情報の一例を示す図である。
【図８】実施形態における機器保全装置がＴｏＤｏリストの作成時に取得するケーブル結線図の一例を示す図である。
【図９】実施形態における機器保全装置が表示するＴｏＤｏリストの紐付け方法の設定画面の一例を示す図である。
【図１０】実施形態における機器保全装置が表示するＴｏＤｏリストを用いた保全作業の流れの一例を示す図である。
【図１１】実施形態における機器保全装置が出力する保全結果の一例を示す図である。
【図１２】本実施形態における機器保全装置の動作の一例を示すフローチャートである。
【図１３】本実施形態における機器保全システムの構成の一例を示す図である。
【発明を実施するための形態】
【００２４】
以下、図面を参照して本発明の一実施形態における機器保全装置、機器保全システム、機器保全方法、機器保全プログラム及び記録媒体について詳細に説明する。
【００２５】
先ず、図１を用いて、機器保全装置のハードウェア構成を説明する。図１は、実施形態における機器保全装置１のハードウェア構成の一例を示すブロック図である。
【００２６】
図１において、機器保全装置１は、ＣＰＵ（Ｃｅｎｔｒａｌ  Ｐｒｏｃｅｓｓｉｎｇ  
Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ（Ｈａｒｄ  Ｄｉｓｋ  Ｄｒｉｖｅ）１４、タッチパネル１５、通信Ｉ／Ｆ（Ｉｎｔｅｒｆａｃｅ）１６、及びカードスロット１７を有する。機器保全装置１は、フィールド機器１９と通信可能に接続される。
【００２７】
機器保全装置１は、ノート型ＰＣ、タブレット型ＰＣ、ＰＤＡ、又はスマートフォン等の汎用装置、又は機器保全専用の装置である。機器保全装置１は、フィールド機器の保全を行うための機器保全プログラムを含み、機器保全プログラムが実行されることによってフィールド機器の保全作業を支援する。機器保全装置１は、保守作業を実施する作業者によってプラント内で可搬され、作業者によって操作される。
【００２８】
ＣＰＵ１１は、ＲＡＭ１２、ＲＯＭ１３又はＨＤＤ１４に記憶されたプログラムを実行することにより、機器保全装置１の制御を行う。機器保全プログラムは、例えば、機器保全プログラムを記録した記録媒体、又はネットワークを介した機器保全プログラムを提供するサーバ等から取得されて、ＨＤＤ１４にインストールされ、ＲＡＭ１２にＣＰＵ１１から読出し可能に記憶される。
【００２９】
タッチパネル１５は、操作入力機能と表示機能とを有する操作表示機能を有する。タッチパネル１５は、フィールド機器の保全に係る保全情報と、保全対象の機器に対する保全項目を含む作業対象をリストにした保全リストを表示する。また、タッチパネル１５は、作業者に対して指先又はタッチペン等を用いた操作入力を可能にする。本実施形態における機器保全装置１は操作表示機能を有するタッチパネル１５を用いる場合を説明するが、機器保全装置１は、表示機能を有する表示装置と操作入力機能を有する操作入力装置とを有するものであってもよい。
【００３０】
通信Ｉ／Ｆ１６は、有線通信又は無線通信を介した、フィールド機器１９との通信又は他の装置との通信を制御する、例えばネットワークアダプタである。他の装置とは、例えば、図示しない、他の機器保全装置、保全情報を管理する保全情報管理サーバ、ＤＣＳ（Ｄｉｓｔｒｉｂｕｔｅｄ  Ｃｏｎｔｒｏｌ  Ｓｙｓｔｅｍ：分散型制御システム）制御装置、ＦＡ（Ｆａｃｔｏｒｙ  Ａｕｔｏｍａｔｉｏｎ）コンピュータ、ＰＬＣ（Ｐｒｏｇｒａｍｍａｂｌｅ  Ｌｏｇｉｃ  Ｃｏｎｔｒｏｌｌｅｒ）等である。
【００３１】
通信Ｉ／Ｆ１６は、フィールド機器１９において使用可能な通信プロトコルを用いてフィールド機器１９との通信を制御する。プラントで使用される様々なフィールド機器１９においては種々の通信プロトコルが用いられている。したがって、通信Ｉ／Ｆ１６は、フィールド機器１９毎にそれぞれ対応した通信プロトコルにおいてフィールド機器１９との通信を制御する。例えば、通信Ｉ／Ｆ１６は、ＩＳＡ（Ｉｎｔｅｒｎａｔｉｏｎａｌ  Ｓｏｃｉｅｔｙ  ｏｆ  Ａｕｔｏｍａｔｉｏｎ：国際計測制御学会）の無線通信規格であるＩＳＡ１００を使用するフィールド機器１９との通信を制御する。また、通信Ｉ／Ｆ１６は、ＨＡＲＴ（Ｈｉｇｈｗａｙ  Ａｄｄｒｅｓｓａｂｌｅ  Ｒｅｍｏｔｅ  Ｔｒａｎｓｄｕｃｅｒ）（登録商標）、ＢＲＡＩＮ（登録商標）、ＦＯＵＮＤＡＴＩＯＮ  Ｆｉｅｌｄｂｕｓ、ＰＲＯＦＩＢＵＳ等の工業計器専用の通信プロトコルを使用するフィールド機器１９との通信を制御してもよい。また、通信Ｉ／Ｆ１６は、無線ＬＡＮ通信、有線ＬＡＮ通信、赤外線通信、近距離無線通信等の汎用通信プロトコルを使用するフィールド機器１９やＤＣＳ等との通信を制御してもよい。
【００３２】
カードスロット１７は、ＰＣカードを挿入するスロットである。カードスロット１７は、機器保全装置１において挿入されたＰＣカードの機能を利用可能にする。ＰＣカードは、例えば、特定の通信を実現させる通信機能やストレージ機能を提供する。
【００３３】
機器保全装置１が通信可能に接続されるフィールド機器１９は、例えば、差圧計、温度計、流量計等の機器保全装置１に対して物理量（圧力、温度等）の信号を入力する入力機器、又は調節弁等の機器保全装置１から調節弁の開度を変更する制御信号を出力する出力機器である。図１においては、フィールド機器１９を省略して１つのみを図示したが、上述の通り、プラントでは様々なフィールド機器１９が使用され、機器保全装置１は複数のフィールド機器１９と接続される。
以上で、図１を用いた、機器保全装置１のハードウェア構成の説明を終了する。
【００３４】
次に、図２を用いて、機器保全装置の機能構成を説明する。図２は、実施形態における機器保全装置１０の機能構成の一例を示すブロック図である。なお、以下の説明においては、図１を適宜参照する。
【００３５】
図２において、機器保全装置１０は、ＴｏＤｏリストシステム１１０、Ｉ／Ｆ部１２０、及び作業支援ツール１３０の各機能を有する。ＴｏＤｏリストシステム１１０は、リスト作成部１１１、リスト表示部１１２、保全指定部１１３、リスト保存部１１４、保全情報取得部１１５、及びプロセス監視部１１６の各機能を有する。作業支援ツール１３０は、保全実行部１３１、通信部１３２、保全情報保存部１３３、及び保全情報表示部１３４の各機能を有する。保全実行部１３１は、設定部１３１１、確認部１３１２、及び調整部１３１３の各機能を有する。機器保全装置１０の上記各機能は、図１で示したＣＰＵ１１においてプログラムを実行することによって実現することができる。すなわち、機器保全装置１０の上記各機能は、ソフトウェアによって実現される機能モジュールである。
【００３６】
ＴｏＤｏリストシステム１１０は、ＴｏＤｏリストを作成して管理する。作業支援ツール１３０は、フィールド機器１９に対する保全作業を支援する。ＴｏＤｏリストシステム１１０は、Ｉ／Ｆ部１２０を介して作業支援ツール１３０と通信する。Ｉ／Ｆ部１２０は、ＴｏＤｏリストシステム１１０と作業支援ツール１３０が通信するためのコマンド、関数等を提供するプログラム間のインターフェイスであってもよい。ＴｏＤｏリストシステム１１０は、例えば、作業支援ツール１３０の機能を有する機器保全装置１０に対して、機能を追加したものであってもよい。機能の追加は、例えば、ＴｏＤｏリストシステム１１０の機能を有するプログラムを記録した記録媒体からプログラムをＨＤＤ１４等にインストールすることによって行うことができる。ＴｏＤｏリストシステム１１０は、作業支援ツール１３０のプログラムのアドイン機能として追加してもよい。ＴｏＤｏリストシステム１１０と作業支援ツール１３０は、Ｉ／Ｆ部１２０を介して連携し、機器保全装置１０の機能を実現する。
【００３７】
リスト作成部１１１は、保全対象のフィールド機器に対する保全項目を含む作業対象をリストにした保全リストとして例示するＴｏＤｏリストを作成する。リスト作成部１１１は、ＴｏＤｏリスト作成のためのＵＩ（Ｕｓｅｒ  Ｉｎｔｅｒｆａｃｅ）をタッチパネル１５を介して提供する。リスト作成部１１１は、例えば、手入力によるＴｏＤｏリスト作成のためのＵＩを提供する。また、リスト作成部１１１は、機器保全装置１において実施されたフィールド機器の保全結果等の情報、フィールド機器の保全計画の情報、フィールド機器の保全方法に関する情報等、フィールの機器の保全に関する保全情報に基づくＴｏＤｏリスト作成のためのＵＩを提供してもよい。また、リスト作成部１１１は、ファイル形式等で記録された機器情報を取得して、取得した機器情報に基づくＴｏＤｏリスト作成のためのＵＩを提供してもよい。また、リスト作成部１１１は、ケーブル結線図等の図面若しくはフィールド機器１９のカタログ又は仕様書等（以下、「図面等」という。）を読込み、読込んだ図面等に基づくＴｏＤｏリスト作成のためのＵＩを提供してもよい。なお、リスト作成部１１１によって実行されるＴｏＤｏリスト作成の詳細は、図５〜図９を用いて後述する。
なお、図２においては、機器保全装置１０がリスト作成部１１１を有して、ＴｏＤｏリストを作成する場合を説明したが、ＴｏＤｏリストの作成は、機器保全装置１０の外部装置で行うようにしてもよい。ＴｏＤｏリストの作成を外部装置で行う場合、機器保全装置１０は、外部装置で作成されたＴｏＤｏリストを取得する。ＴｏＤｏリストの作成を外部装置で行う場合の説明は図１３を用いて行う。
【００３８】
リスト表示部１１２は、作成されたＴｏＤｏリストを、後述する保全情報表示部１３４において表示された保全情報とともに表示する。リスト表示部１１２は、保全情報表示部１３４において表示された保全情報の画面に、ＴｏＤｏリストを別ウインドウで表示する。本実施形態におけるウインドウとは、タッチパネル１５の表示画面に表示される矩形状の表示領域をいう。リスト表示部１１２は、別ウインドウで表示したＴｏＤｏリストの、表示位置、表示サイズ、表示／非表示の切り替え、動作の有効／無効等を制御する。なお、リスト表示部１１２において、ＴｏＤｏリストを保全情報とともに表示する表示例は、図３において後述する。
なお、リスト表示部１１２の表示態様は上記に限定されるものではなく、保全情報表示部１３４と同一画面に表示されるものでもよく、スクロールして表示されるものであってもよい。また、保全情報表示部１３４のアイコンや文字等の情報にタッチすることで、リスト表示部１１２が別ウインドとして起動して表示されたり、別ウインドウに遷移又は切り替って表示されたりしてもよい。
【００３９】
また、リスト表示部１１２は、ＴｏＤｏリストにおいて、保全対象のフィールド機器と、そのフィールド機器に対する保全項目を表示する。リスト表示部１１２は、ＴｏＤｏリストに表示された保全項目が実施された場合、保全が実行された保全項目のＴｏＤｏリストにおける表示態様を変更する。表示態様の変更とは、例えば、保全項目の文字列の色やフォントを変更する、保全項目の文字列に取り消し線を附す、保全項目の文字列を非表示にする、保全項目の文字列に「済」等の新たな文字を追加する等である。なお、リスト表示部１１２において表示するＴｏＤｏリストの詳細は、図４において後述する。
【００４０】
また、リスト表示部１１２は、作業者に対して、表示したＴｏＤｏリストに基づく保全項目の指定ができるようにする。また、リスト表示部１１２は、作業者がＴｏＤｏリストに表示された所定の保全項目をタッチパネル１５へのタッチ等により指定した場合、指定された保全項目の表示を変更して、指定がされたことを作業者に報知する。リスト表示部１１２は、複数の保全項目が指定できるようにしてもよい。
【００４１】
保全指定部１１３は、リスト表示部１１２が表示したＴｏＤｏリストにおいて指定された保全項目を、Ｉ／Ｆ部１２０を介して保全実行部１３１に通知して保全作業を実行させる。保全指定部１１３は、指定された保全項目が複数ある場合、指定された保全項目を保全実行部１３１に逐次通知することができる。
【００４２】
リスト保存部１１４は、リスト作成部１１１において作成されたＴｏＤｏリストをＨＤＤ１４等に保存する。保存されたＴｏＤｏリストは、リスト表示部１１２から読み出されてタッチパネル１５に表示される。リスト保存部１１４は、リスト作成部１１１において複数のＴｏＤｏリストが作成された場合には、複数のＴｏＤｏリストを保存する。リスト表示部１１２は、保存された複数のＴｏＤｏリストを読み出して、表示するＴｏＤｏリストを選択できるようにしてもよい。複数のＴｏＤｏリストを表示することにより、作業者は、複数のＴｏＤｏリストに亘る保全作業を並行して実施することができる。
【００４３】
保全情報取得部１１５は、保全情報を取得する。保全情報取得部１１５は、例えば、保全情報保存部１３３等に保存された保全情報を取得する。保全情報取得部１１５によって取得される保全情報の詳細は、保全情報保存部１３３の説明で後述する。また、保全情報取得部１１５は、ファイル形式等で記録された保全対象の機器情報を取得してもよい。保全情報取得部１１５で取得された保全情報等は、リスト作成部１１１においてＴｏＤｏリストを作成する際に取得される。
【００４４】
プロセス監視部１１６は、プロセスで使用されている特定のフィールド機器１９やプロセス装置を監視して、フィールド機器１９等から特定の通信内容、作業ログ等を取得する。プロセス監視部１１６は、フィールド機器１９等を直接監視することにより、作業支援ツール１３０による保全作業を行わない場合であってもフィールド機器１９等から通信内容等を取得することが可能となる。
【００４５】
保全実行部１３１は、設定部１３１１、確認部１３１２、及び調整部１３１３の各機能を有して、作業支援ツール１３０を用いたフィールド機器１９の保全を実行する。
【００４６】
設定部１３１１は、保全対象のフィールド機器１９に対してフィールド機器１９で使用される機器情報として例示するパラメータを設定する。設定部１３１１が設定するパラメータには、例えば、パラメータを一意に特定する名称、パラメータの表示名に用いられるラベル、パラメータの工業単位（ｋＰａ、％、度Ｃ等）、パラメータのデータ型、パラメータの補正値（キャリブレーション値）等である。設定部１３１１は、作業者に対してタッチパネル１５を介して、パラメータ設定のＵＩを提供する。例えば、設定部１３１１は、タッチパネル１５において、テキストボックスへの文字の入力、プルダウンメニューによる設定項目の選択、ラジオボタンやチェックボックスによる設定項目の選択等によって、作業者がパラメータを設定できるようにする。設定部１３１１において設定されるパラメータの初期値は、確認部１３１２において読み出した値を使用することができる。
【００４７】
確認部１３１２は、保全対象のフィールド機器１９に対して設定されているパラメータを読み出して、読み出した内容を、例えばタッチパネル１５に表示する。確認部１３１２は、通信部１３２が自動的に認識した通信Ｉ／Ｆ１６を介して接続されているフィールド機器１９の情報に基づき、接続されているフィールド機器１９のパラメータを自動的に読み出すようにしてもよい。確認部１３１２は、読み出したパラメータを設定部１３１１に対して出力してパラメータの設定に用いるようにしてもよい。なお、タッチパネル１５に表示される事項については、通信部１３２を介して機器保全装置１０の外部の装置に送信してもよく、また、図示しない印字部から印字出力してもよい。また、確認部１３１２は、フィールド機器１９に設定されたパラメータのプロパティを読み出してもよい。確認部１３１２は、プロパティとして、例えば、機器タグ、機器アドレス、製造者、機器タイプ等を読み出す。また、確認部１３１２は、保全対象のフィールド機器１９から振動や異常音等の情報を取得する動作を実行してもよい。
【００４８】
調整部１３１３は、フィールド機器１９の調整を行う。例えば、フィールド機器１９が圧力伝送器である場合、調整部１３１３は、圧力伝送器のゼロ点調整を実行する。また、フィールド機器１９がアクチュエータであった場合、調整部１３１３は、調整に加えてテスト（検査）機能も有し、バルブやシリンダのアクチュエータを動作させる動作テストを実行する。
【００４９】
通信部１３２は、通信Ｉ／Ｆ１６を介して、フィールド機器１９との通信又は他の装置との通信を制御する。通信部１３２が制御する通信によって、例えば、ＩＳＡ１００、ＨＡＲＴ、ＢＲＡＩＮ等の規格のフィールド機器１９のパラメータの設定、パラメータの読出し、パラメータの確認等を行う。通信部１３２は、無線ＬＡＮ通信、有線ＬＡＮ通信、赤外線通信、近距離無線通信等の制御を行ってもよい。通信部１３２は、それぞれの通信に対応した制御を行うためのプログラムモジュールを有するものであってもよい。通信部１３２は、必要なプログラムモジュールを追加してインストールできるようにしてもよい。通信部１３２は、通信Ｉ／Ｆ１６を介して接続されているフィールド機器１９を自動的に認識して、認識したフィールド機器１９の情報を確認部１３１２に出力することができる。
【００５０】
保全情報保存部１３３は、保全実行部１３１で実行された保全情報（保全の結果）を保存する。例えば、保全情報保存部１３３は、設定部１３１１によって保全対象のフィールド機器１９に対して設定されたパラメータの内容、設定履歴等を保存する。また、保全情報保存部１３３は、確認部１３１２によって保全対象のフィールド機器１９から読み出したパラメータを保存する。また、保全情報保存部１３３は、調整部１３１３によって実行されたフィールド機器１９の調整の履歴を保存する。保全情報保存部１３３は、他の機器保全装置、保全情報管理サーバ、ＤＣＳ制御装置、ＦＡコンピュータ、ＰＬＣ等から取得した保全情報を保存してもよい。保全情報保存部１３３に保存される保全情報は、保全情報取得部１１５から取得される。また、保全情報保存部１３３に保存された保全情報は、保全情報表示部１３４から取得されてタッチパネル１５に表示される。
【００５１】
保全情報表示部１３４は、タッチパネル１５に保全情報を表示する。例えば、保全情報表示部１３４は、保全情報保存部１３３に保存された保全情報を取得して、タッチパネル１５に表示する。また、保全情報表示部１３４は、他の機器保全装置等から取得した保全情報を表示してもよい。
【００５２】
なお、図２においては、機器保全装置１０が有する、ＴｏＤｏリストシステム１１０、Ｉ／Ｆ部１２０、作業支援ツール１３０、リスト作成部１１１、リスト表示部１１２、保全指定部１１３、リスト保存部１１４、保全情報取得部１１５、プロセス監視部１１６、保全実行部１３１、通信部１３２、保全情報保存部１３３、保全情報表示部１３４、設定部１３１１、確認部１３１２、及び調整部１３１３の各機能がソフトウェアによって実現される場合を説明した。しかし、機器保全装置１０が有する上記１つ以上の機能は、ハードウェア（例えば、ＡＳＩＣやゲートアレイ）によって実現されるものであっても良い。
また、機器保全装置１０が有する上記各機能は、１つの機能を複数の機能に分割して実施してもよい。また、機器保全装置１０が有する上記各機能は、２つ以上の機能を１つの機能に集約して実施してもよい。
【００５３】
また、図２においては、ＴｏＤｏリストシステム１１０と作業支援ツール１３０が同じ端末（機器保全装置１０）で動作する場合を説明したが、ＴｏＤｏリストシステム１１０と作業支援ツール１３０は別の装置で動作するものであってもよい。例えば、ＴｏＤｏリストシステム１１０が機器保全装置１とネットワークを介して通信可能なサーバ上で動作する場合、ＴｏＤｏリストシステム１１０と作業支援ツール１３０はネットワークを介して通信を行うようにしてもよい。
【００５４】
また、図２においては、ＴｏＤｏリストシステム１１０と作業支援ツール１３０が１対１の関係で通信する場合を説明したが、ＴｏＤｏリストシステム１１０と作業支援ツール１３０は、１対多、多対１又は多対多の関係で通信するようにしてもよい。例えば、ＴｏＤｏリストシステム１１０と作業支援ツール１３０が１対多で通信するようにすることにより、複数の作業支援ツール１３０がＴｏＤｏリストシステム１１０で作成されたＴｏＤｏリストを共有することができるため、複数の作業者によって一つのＴｏＤｏリストに基づく保全作業を分担することが可能となる。
以上で、図２を用いた、機器保全装置１０の機能構成の説明を終了する。
【００５５】
次に、図３を用いて、機器保全装置１においてタッチパネル１５に表示される保全情報とＴｏＤｏリストを説明する。図３は、実施形態における機器保全装置１が表示する保全情報とＴｏＤｏリストの一例を示す図である。なお、以下の説明においては、図１又は図２を適宜参照する。
【００５６】
図３において、タッチパネル１５の表示画面には、メイン画面１０００が表示されている。メイン画面１０００は、例えば、機器保全装置１が起動された後に最初に表示される表示である。メイン画面１０００は、機器保全装置１が起動された後に、図示しないログイン画面においてログイン操作が行われた後、又は初期設定がされた後に表示されるものであってもよい。
【００５７】
メイン画面１０００は、フィールド機器１９の保全情報を表示及び登録する画面である。メイン画面１０００は、保全情報１０１０、セグメントビューワセレクトボタン１０３１の表示を含む。メイン画面１０００は、保全情報表示部１３４によって表示される。メイン画面１０００には、ＴｏＤｏリスト１０２０が重畳表示されている。ＴｏＤｏリスト１０２０は、リスト表示部１１２によって表示される。メイン画面１０００は、メイン画面１０００の図３図示左上の「更新」ボタンを押下することによりメイン画面１０００に含まれる保全情報１０１０及びＴｏＤｏリスト１０２０の情報が更新されて再表示される。
【００５８】
保全情報１０１０は、保全情報保存部１３３に保存されたフィールド機器１９の、アイコン、機器タグ、診断結果において正常又は異常であることを示すステータス、機器アドレス、製造者、機器ＩＤ、機器タイプ、パラメータの書き込みがプロテクトされているか否かを示す状態情報等の機器情報、保全項目、パラメータ値等を表示する。保全情報１０１０には、画像情報、メモ書きをテキストとして残すことができる付箋情報等を含んでいてもよい。保全情報１０１０は、通信部１３２が自動的に認識したフィールド機器１９についての保全情報を表示してもよい。図３においては、ＰＴ１１０５の機器タグが付けられた１台の温度測定器についての保全情報が表示されている場合を示している。保全情報１０１０は、フィールド機器１９毎に表示される。すなわち、フィールド機器１９が複数接続されている場合、接続されたフィールド機器の個数分保全情報１０１０が表示される。
【００５９】
メイン画面１０００には、保全情報１０１０とともに、「ＮＯ．２０１６０２０１」のＴｏＤｏリストと、「ＮＯ．２０１６０２０２」のＴｏＤｏリストの２つのＴｏＤｏリスト１０２０が表示されている場合を示している。保全情報１０１０とともに表示されるＴｏＤｏリストの数は、０（非表示）を含め任意の数に設定できるようにしてもよい。なお、ＴｏＤｏリスト１０２０の詳細は図４を用いて後述する。ＴｏＤｏリスト１０２０における「出力」ボタンは、ＴｏＤｏリスト１０２０の内容を出力するボタンである。出力ボタンを押下したときの出力例は図１１を用いて後述する。
【００６０】
セグメントビューワセレクトボタン１０３１は、図３に図示するメイン画面１０００を表示するためのセレクトボタンである。なお、メイン画面は、例えば他に、保全情報保存部１３３に保存した保全情報の管理又は保全情報保存部１３３に保存した保全情報を検索等するための機器ナビゲータ画面、作業支援ツール１３０で実施した操作の記録を表示等する操作ログ画面等に切り替えることができてもよい。ＴｏＤｏリスト１０２０は、メイン画面１０００以外の他の表示画面に表示される保全情報とともに表示されるようにしてもよい。
以上で、図３を用いた保全情報１０１０とＴｏＤｏリスト１０２０の説明を終了する。
【００６１】
次に、図４を用いて、機器保全装置１においてタッチパネル１５に表示されるＴｏＤｏリスト１０２０の詳細を説明する。図４は、実施形態における機器保全装置が表示するＴｏＤｏリスト１０２０の詳細の一例を示す図である。
【００６２】
図４において、ＴｏＤｏリスト１０２０は、リストＩＤ１０２１、機器アイコン１０２２、作業対象１０２３、種別１０２４、項目・結果１０２５の表示を含む。
【００６３】
リストＩＤ１０２１は、ＴｏＤｏリスト１０２０の中で１つの作業対象を一意に特定する情報である。本実施形態において、図４に示すＴｏＤｏリスト１０２０の１つのＩＤ分を「１つの作業対象」という。１つの作業対象は保全作業の実行単位であり、機器タグで特定されるフィールド機器１９毎に設定される場合、設備毎に設定される場合、又は作業毎に設定される場合等を例示する。ＩＤ１０２１の値は、例えば他のＩＤとの重複が無いように採番又はチェックできるようにしてもよい。
【００６４】
機器アイコン１０２２は、種別１０２４に示すフィールド機器１９の種別を作業者が視認しやすいように表示する。例えば、図４図示円形のアイコンは、フィールド機器１９の種別が入力機器であることを示す。同様に、正方形のアイコンは出力機器、横長長方形のアイコンは設備、三角形のアイコンは作業を示す。機器アイコン１０２２には、例示した図形の表示以外にも、例えばフィールド機器の名称や写真を表示するようにしてもよい。
【００６５】
作業対象１０２３は、保全対象のフィールド機器１９、設備、又は保全作業を示す。例えば、１つのフィールド機器１９を作業対象とする場合は、そのフィールド機器１９を特定する「ＴＡＧ１」等の機器タグを用いる。また、通信を行わない設備や作業の場合は、設備名や作業項目を入力する。例えば、「設備１」においては、作業者の聴覚による異音確認を１つの作業対象とする場合を示している。作業項目には、「ループチェック」、「ゼロ調整」（ゼロ点調整）等のフィールド機器１９に対する保全作業名を入力することができる。なお、作業項目には、例えば清掃作業等のフィールド機器の保全以外の作業項目を入力してもよい。これにより、フィールド機器の保全作業と他の作業とを同じＴｏＤｏリストで管理することが可能となる。
【００６６】
種別１０２４は、ＴｏＤｏリスト１０２０における作業対象のフィールド機器１９が入力機器であるのか出力機器であるのかの別を入力することができる。また、種別１０２４には、ＴｏＤｏリスト１０２０における作業対象が通信を行わない設備や作業であることを示すものであってもよい。
【００６７】
項目・結果１０２５は、保全項目と保全結果を表示する。項目・結果１０２５は、保全作業が未だ実行されていない保全項目と、保全が実行された保全項目の表示態様を変更して表示する。図４において、保全が実行された保全項目は、表示態様の変更の一例として、保全項目の文字に取り消し線を付した場合を示している。表示態様の変更は、例えば、保全項目の文字の大きさ、文字の色、文字のフォント、文字の背景の塗りつぶし、文字の消去、「済」等の文字の付加等であってもよい。保全が実行された保全項目の表示態様を変更してＴｏＤｏリスト１０２０を表示することにより、作業者は保全作業の進行状況を容易に把握できるようになる。図４においては、リストＩＤ１０２１が「１」の作業対象における「ループチェック」の保全項目が実行済みであることを取り消し線により示している。また、ＩＤ１０２１が「５」の作業対象においては、ループチェックを行ったフィールド機器の「ＴＡＧ４」及び「ＴＡＧ５」の保全項目が実行済みであることを示している。図４の項目・結果１０２５に示すように、保全項目には、圧力のゼロ調整、調節弁のストロークテスト、圧力の測定レンジ変更、設備から発する異音確認等がある。
【００６８】
ところで、図４においては、上述の通り、リストＩＤ１０２１が「１」の１つの作業対象においては、１つのフィールド機器１９に対して、複数の保全項目（「ループチェック／ゼロ調整」）が入力されている。また、リストＩＤ１０２１が「５」の１つの作業対象においては、作業対象１０２３に入力された「ループチェック」の作業に対して、複数の保全項目（「ＴＡＧ４／ＴＡＧ５／ＴＡＧ６」）としての複数の機器タグが入力されている。
【００６９】
フィールド機器１９の保全作業においては、同じフィールド機器１９に対して複数の保全作業を連続して行う方が効率的である場合がある一方、複数のフィールド機器１９に対して同じ保全作業を連続して行う方が効率的である場合もある。
【００７０】
本実施形態において、リスト作成部１１１は、１つの作業対象において複数の保全項目を含むＴｏＤｏリスト１０２０を作成して、リスト表示部１１２は、作成された保全リストを表示して、複数の保全項目の中から１又は２以上の保全項目を指定可能にしている。
すなわち、１つのフィールド機器１９に対して、保全項目として複数の保全作業を入力可能にすることを可能にするとともに、１つの保全作業に対して保全項目として複数のフィールド機器１９を入力可能にしている。したがって、本実施形態においては、上記いずれの保全作業を行う場合においても保全作業の効率を考慮したＴｏＤｏリスト１０２０の作成を可能にしている。
【００７１】
なお、ＴｏＤｏリスト１０２０における保全対象又は保全項目の実行の順番は、任意である。例えば、リストＩＤ１０２１の昇順又は降順で実行してもよい。また、リストＩＤ１０２１の順番とは異なる順番で実行してもよい。また、実行の順番は、ＴｏＤｏリスト１０２０の表示によって作業者に報知できるようにしてもよい。例えば、リストＩＤ１０２１又は保全項目の文字の色を変更したり、点滅させたりして、作業者に対して次に実行すべき順番を報知してもよい。また、ＴｏＤｏリスト１０２０の表示順序は変更できるようにしてもよい。例えば、作業対象１０２３や項目・結果１０２５によって並び順をソートしてもよい。また、複数のＴｏＤｏリスト１０２０を１つのＴｏＤｏリスト１０２０に併合したり、１つのＴｏＤｏリスト１０２０を複数のＴｏＤｏリスト１０２０に分割できるようにしてもよい。また、ＴｏＤｏリスト１０２０の出力は、出力項目を選択できるようにしてもよい。
以上で、図４を用いた、ＴｏＤｏリスト１０２０の詳細の説明を終了する。
【００７２】
次に図５を用いて、リスト作成部１１１によって表示される手入力によるＴｏＤｏリストの作成画面について説明する。図５は、実施形態における機器保全装置１０が表示する手入力によるＴｏＤｏリスト１０２０の作成画面の一例を示す図である。
【００７３】
図５において、作業対象の入力画面１０４０は、タッチパネル１５に表示される作業対象を選択可能な表示である。ＴｏＤｏリスト１０２０を作成する作業者は、例えばタッチパネル１５から、ＴｏＤｏリスト１０２０作成のためのメニューを選択する。リスト作成部は、ＴｏＤｏリスト１０２０作成のためのメニューが選択されたときに図５に示す作業対象の入力画面１０４０を表示する。作業者は、表示された作業対象の中からＴｏＤｏリストに含める作業対象を１以上選択する。作業対象の選択は例えばタッチパネル１５の操作によって行う。作業者は作業対象を選択した後にＯＫのボタンを押下して作業対象を確定する。ＯＫのボタンが押下されると、リスト作成部１１１は、選択された作業対象を含むＴｏＤｏリスト１０２０を作成する。リスト作成部１１１は、保全情報保存部１３３に保存された情報に基づき作業対象の入力画面１０４０を表示してもよい。
【００７４】
作業対象の入力画面１０４０を表示することにより、ＴｏＤｏリスト１０２０作成の作業効率を向上させることができる。また、予め保存された作業対象を入力画面１０４０において選択可能に表示することにより、作業対象の誤入力を防止することができる。
以上で、図５を用いた、手入力によるＴｏＤｏリスト１０２０の作成画面についての説明を終了する。
【００７５】
次に、図６を用いて、リスト作成部１１１によって表示される保全情報に基づくＴｏＤｏリストの作成画面について説明する。図６は、実施形態における機器保全装置が表示する保全情報に基づくＴｏＤｏリスト１０２０の作成画面の一例を示す図である。
【００７６】
図６において、機器ナビゲータ画面１０５０は、保全情報保存部１３３に保存した保全情報の管理を行ない、又は保全情報保存部１３３に保存した保全情報を検索するための表示である。機器ナビゲータ画面１０５０は、例えば、フィールド機器１９についての機器タグ、機器ＩＤ、通信形式等の情報を含んでいる。図６においては、機器ナビゲータ画面１０５０からＴｏＤｏリスト１０２０を作成する。
【００７７】
先ず、ＴｏＤｏリスト１０２０を作成する作業者は、機器ナビゲータ画面１０５０のそれぞれの機器タグの横に設けられたチェックボックス１０５１から、ＴｏＤｏリスト１０２０に含める作業対象を１以上選択する。機器ナビゲータ画面１０５０は、例えば保全情報表示部１３４が保全情報保存部１３３に保存された保全情報に基づき表示し、表示された機器ナビゲータ画面１０５０に対して、リスト作成部１１１がチェックボックス１０５１を付加することによって表示してもよい。リスト作成部１１１は、保全情報取得部１１５によって取得された保全情報に基づき、チェックボックスと作業対象との対応を付けることができる。作業者は、チェックボックス１０５１にチェックを入れることにより作業対象を選択することができる。機器ナビゲータ画面１０５０において作業対象が選択された状態において、作業者は、例えばＴｏＤｏリスト１０２０作成のためのメニューを選択する。ＴｏＤｏリスト１０２０作成のためのメニューが選択されると、リスト作成部１１１は、選択された作業対象を含むＴｏＤｏリスト１０２０を作成する。
【００７８】
機器ナビゲータ画面１０５０から作業対象を選択することができるため、ＴｏＤｏリスト１０２０作成の作業効率を向上させることができ、また、作業対象の誤入力を防止することができる。
以上で、図６を用いた、保全情報に基づくＴｏＤｏリスト１０２０の作成画面についての説明を終了する。
【００７９】
次に、図７を用いて、機器情報からのＴｏＤｏリスト１０２０の作成を説明する。図７は、実施形態における機器保全装置１０がＴｏＤｏリスト１０２０の作成時に取得する機器情報の一例を示す図である。図７に示す機器情報は、リスト作成部１１１が機器保全装置１０の外部から、例えばファイル形式よって取得するものとする。
【００８０】
図７において、機器情報１０６０は、機器タグ、機器ＩＤ、及び機器アドレスの情報を含んでいる。機器情報１０６０は、例えば、ＣＳＶ（Ｃｏｍｍａ  Ｓｅｐａｒａｔｅｄ  
Ｖａｌｕｅｓ）ファイル、表計算ソフトウェアで作成されたファイル等によって取得されてもよい。例えば、保全情報取得部１１５は、通信部１３２を介して接続された外部の装置、又はカードスロット１７等から機器情報１０６０を含むファイルを取得する。リスト作成部１１１は、取得した機器情報１０６０に基づき、図５で示した入力画面を表示して作業対象を選択できるようにしてもよい。
【００８１】
機器情報１０６０を取得することにより、例えば、新たにプラントに設置され、保全情報保存部１３３に保全情報の無い作業対象であっても選択可能に表示してＴｏＤｏリスト１０２０に含めることができるため、ＴｏＤｏリスト１０２０作成の作業効率向上と誤入力の防止を図ることができる。
以上で、図７を用いた、機器情報からのＴｏＤｏリスト１０２０の作成の説明を終了する。
【００８２】
次に、図８を用いて、ケーブル結線図からのＴｏＤｏリスト１０２０の作成を説明する。図８は、実施形態における機器保全装置１０がＴｏＤｏリストの作成時に取得するケーブル結線図の一例を示す図である。
【００８３】
図８において、ケーブル結線図１０７０は、ＬＯＣＡＬ、端子盤、ケーブル、ＩＯモジュール及びコネクタ間における結線を示している。ケーブル結線図１０７０は、ＬＯＣＡＬにおけるそれぞれのケーブルを作業対象としてタグ名を付した場合を示している。例えば、ＴＡＧ１は、２芯のＣＶＶ（Ｓ）ケーブルによって、１０１端子盤の端子番号１及び２に結線され、さらにＩＯモジュールの入力モジュール（ＡＩ）の端子番号１及び２に結線されていることを示している。
ケーブル結線図１０７０は、例えば、図６で説明した機器情報と同様にＣＳＶファイル等によって取得される。保全情報取得部１１５は、通信部１３２を介して接続された外部の装置等からケーブル結線図１０７０を含むファイルを取得する。リスト作成部１１１は、取得したケーブル結線図１０７０に基づき、図５で示した入力画面を表示して作業対象を選択できるようにしてもよい。
【００８４】
ケーブル結線図１０７０を取得することにより、ＴｏＤｏリスト１０２０作成の作業効率向上と誤入力の防止を図ることができる。
以上で、図８を用いた、ケーブル結線図１０７０からのＴｏＤｏリスト１０２０の作成の説明を終了する。
【００８５】
次に、図９を用いて、ＴｏＤｏリスト１０２０作成時の紐付けの設定について説明する。図９は、実施形態における機器保全装置が表示するＴｏＤｏリストの紐付け方法の設定画面の一例を示す図である。
【００８６】
図９において、紐付け方法の設定画面１０８０は、紐付を自動で行うか、又は手動で行うかの２つのチェックボックスを含む。２つのチェックボックスは、いずれか一方のみを選択できる。設定画面１０８０は、例えば、ＴｏＤｏリスト１０２０を作成する作業者がタッチパネル１５からＴｏＤｏリスト１０２０作成のためのメニューを選択することによりリスト作成部１１１によって表示される。ＯＫのボタンの押下によって、紐付を自動で行うか又は手動で行うかの設定がリスト作成部１１１に保存される。
以上で、図９を用いた、ＴｏＤｏリスト１０２０作成時の紐付けの設定についての説明を終了する。
【００８７】
次に、図１０を用いて、ＴｏＤｏリスト１０２０を用いた保全作業の流れについて説明する。図１０は、実施形態における機器保全装置が表示するＴｏＤｏリスト１０２０を用いた保全作業の流れの一例を示す図である。図１０（Ａ）〜図１０（Ｅ）は、ＴｏＤｏリスト１０２０を用いた保全作業を行うための表示画面の遷移を時系列で示している。
【００８８】
図１０（Ａ）において、作業者は、タッチパネル１５に表示されたＴｏＤｏリスト１０２０から保全作業の作業対象と保全項目を選択する。ここで、図９で説明した紐付けの設定において手動が設定されていた場合、図１０（Ｂ）の紐付けを手動で行うための設定画面が表示される。図１０（Ｂ）の紐付けを手動で行うことにより、図１０（Ａ）において表示された保全項目を変更することが可能となる。保全項目の変更とは、例えば、保全項目の追加、保全項目の削除、他の保全項目への変更等である。
【００８９】
図１０（Ｂ）において、作業者は紐付けを行うリストＩＤをプルダウンメニューから選択して、そのリストＩＤに対して紐付ける保全項目をプルダウンメニューから選択する。
保全項目を追加する場合は、作業項目の追加のボタンを押下することにより、選択されたリストＩＤに対して保全項目が追加される。設定が完了した場合、作業者がＯＫボタンを押下することにより、図１０（Ｃ）のループチェック画面が表示される。
【００９０】
一方、図９で説明した紐付けの設定において既に自動で設定されていた場合、図１０（Ｂ）の設定画面は表示されず、１０（Ａ）から図１０（Ｃ）に表示画面が遷移する。
【００９１】
図１０（Ｃ）はループチェックを実行するための画面である。ループチェックとは、フィールド機器の制御ループをチェックする保全作業である。図１０（Ｃ）は、ループチェックとして、指示調節出力が０％→５０％→１００％→５０％→０％となるループチェックを実行するための設定がされていることを示している。作業者が実行のボタンを押下するとループチェックが実行される。ループチェックが終了すると、表示画面の表示は図１０（Ｄ）に遷移する。
【００９２】
図１０（Ｄ）は、ループチェックが終了したことを作業者に報知するための画面である。作業者がＯＫのボタンを押下すると、表示画面の表示は図１０（Ｅ）に遷移する。
【００９３】
図１０（Ｅ）は、図１０（Ａ）と同様にＴｏＤｏリスト１０２０が表示される。ここで、リストＩＤが１のリストにおいてループチェックの保全項目の表示態様が、文字に取り消し線が付されたものに変更されて、ループチェックが実施済であることを作業者に報知する。作業者は、出力のボタンを押下することにより、ＴｏＤｏリスト１０２０の保全結果を出力することができる。
以上で、図１０を用いた、ＴｏＤｏリスト１０２０を用いた保全作業の流れについての説明を終了する。
【００９４】
次に、図１１を用いて、ＴｏＤｏリスト１０２０の出力ボタンが押下されたときの保全結果の出力について説明する。図１１は、実施形態における機器保全装置１０が出力する保全結果の一例を示す図である。
【００９５】
図１１において、保全結果１０９１は、作業対象、保全項目、結果及び完了時刻の出力項目を含む。例えば、ＴＡＧ１において、ループチェックのチェック結果はＯＫであったことを示しており、ゼロ調整の結果はＮＧであったことを示している。また、ＴＡＧ２及びＴＡＧ３の保全項目は未実施であることを示している。出力された保全結果１０９１は、例えば、保全情報保存部１３３に保存される。また、保全結果１０９１は、プリンタに出力されて印字されてもよい。また、保全結果１０９１は、通信部１３２を介して他の装置に出力されてもよい。
以上で、図１１を用いた、保全結果の出力についての説明を終了する。
【００９６】
次に、図１２を用いて、機器保全装置１０の動作を説明する。図１２は、本実施形態における機器保全装置の動作の一例を示すフローチャートである。図１２のフローチャートに示す動作は、ＣＰＵ１１において実行されるソフトウェアによって実施されるものとする。
【００９７】
図１２において、ＣＰＵ１１は、保全対象のフィールド機器１９に対する保全項目をリストにした保全リストとして例示するＴｏＤｏリストを作成する（ステップＳ１１）。なお、ＴｏＤｏリストを外部装置において作成する場合には、ＣＰＵ１１は、ＴｏＤｏリストを外部装置から取得する（ステップＳ１１）。
【００９８】
ステップＳ１１の処理を実行した後、ＣＰＵ１１は、フィールド機器１９の保全に係る保全情報をタッチパネル１５に表示する（ステップＳ１２）。
【００９９】
ステップＳ１２の処理を実行した後、ＣＰＵ１１は、タッチパネル１５に表示された保全情報とともに、作成又は取得されたＴｏＤｏリストを表示して（ステップＳ１３）、作業者に対して保全項目を指定可能にする。
【０１００】
ステップＳ１３の処理を実行した後、ＣＰＵ１１は、作業者によってタッチパネル１５等から指定された保全項目を取得して（ステップＳ１４）、指定された保全項目を実行する（ステップＳ１５）。
【０１０１】
ステップＳ１５の処理を実行した後、ＣＰＵ１１は、保全が実行された保全項目の表示態様を変更してＴｏＤｏリストを表示する（ステップＳ１６）。
【０１０２】
ステップＳ１６の処理を実行した後、ＣＰＵ１１は、保全結果を出力するか否かを判断する（ステップＳ１７）。保全結果を出力するか否かは、ＴｏＤｏリスト１０２０の出力ボタンが押下されたか否かによって判断することができる。保全結果を出力すると判断した場合（ステップＳ１７：ＹＥＳ）、ＣＰＵ１１は、保全結果を出力する（ステップＳ１８）。
【０１０３】
ステップＳ１８の処理を実行した後、又は保全結果を出力しないと判断した場合（ステップＳ１７：ＮＯ）、ＣＰＵ１１は、ＴｏＤｏリストの更新を行うか否かを判断する（ステップＳ１９）。ＴｏＤｏリストの更新を行うか否かは、例えば、図３で説明した更新ボタンが押されたか否かで判断することができる。
【０１０４】
ＴｏＤｏリストの更新を行うと判断した場合（ステップＳ１９：ＹＥＳ）、ＣＰＵ１１は、ステップＳ１１の処理に戻り、リストの作成等の処理を再び実行する。一方、リストの更新を行わないと判断した場合（ステップＳ１９：ＮＯ）、ＣＰＵ１１は、ステップＳ１３の処理に戻り、ＴｏＤｏリストを表示する。
以上で、図１２を用いた、機器保全装置１０の動作の説明を終了する。
【０１０５】
次に、図１３を用いて、機器保全装置１０がリスト作成部１１１を有さない機器保全装置１０ａである場合における機器保全システムの構成を説明する。図１３は、本実施形態における機器保全システムの構成の一例を示す図である。
【０１０６】
図１３に示す機器保全システムにおいて、機器保全装置１０ａは、ネットワーク９を介して外部装置２ａ、外部装置２ｂ又は外部装置２ｃと通信可能に接続される。外部装置２ａは、リスト作成部２１及びリスト保存部２２を有している。外部装置２ｂは、リスト作成部２１、リスト保存部２２及び保全情報保存部２３を有している。外部装置２ｃは、リスト作成部２１、リスト保存部２２、保全情報保存部２３及び保全情報取得部２４を有している。外部装置２ａ、外部装置２ｂ及び外部装置２ｃは、外部装置２の変形例を示しており、いずれか１以上の装置がネットワーク９に接続されていればよい。
【０１０７】
外部装置２ａ〜外部装置２ｃは、リスト作成部２１及びリスト保存部２２を有している。リスト作成部２１は、保全情報に基づきＴｏＤｏリストを作成する。リスト保存部２２は、リスト作成部２１で作成されたＴｏＤｏリストを保存して、ネットワークを介して複数の機器保全装置１０ａに対してＴｏＤｏリストを提供する。外部装置２でＴｏＤｏリストを作成して機器保全装置１０ａに提供することにより、外部装置２で作成されたＴｏＤｏを複数の機器保全装置１０ａで共用することが可能となる。例えば、外部装置２が保全情報を管理して保全計画を作成する保全管理サーバであった場合、機器保全装置１０ａは、保全管理サーバから直接ＴｏＤｏリストを取得することが可能となる。
【０１０８】
機器保全装置１０ａは、ＴｏＤｏリストシステム１１０ａを有し、他の機能については図２において説明した機器保全装置１０の機能の構成と同様である。ＴｏＤｏリストシステム１１０ａは、ＴｏＤｏリストシステム１１０が有しているリスト作成部１１１の機能の代わりに、リスト取得部１１７の機能を有している。
【０１０９】
リスト取得部１１７は、外部装置２で作成されて保存されているＴｏＤｏリストをネットワーク９を介して取得する。リスト保存部１１４は、リスト取得部１１７で取得されたＴｏＤｏリストを一時的に保存しておいてもよい。リスト保存部１１４でＴｏＤｏリストを一時的に保存しておくことにより、例えば機器保全装置１０ａがネットワーク９を介して外部装置２と通信ができない場合であってもＴｏＤｏリストを利用することが可能となる。
【０１１０】
また、外部装置２ｂ及び外部装置２ｃは、外部装置２ａに対して、さらに保全情報保存部２３を有している。機器保全装置１０ａは、外部装置２ｂ又は外部装置２ｃから、ＴｏＤｏリストに加えてさらに保全情報を取得することが可能となる。例えば、外部装置２ｂ又は外部装置２ｃが保全情報を収集して保存する保全管理サーバであった場合、機器保全装置１０ａは、フィールド機器１９等から自ら収集した保全情報に加えて、保全管理サーバで収取された保全情報を取得することが可能となる。
【０１１１】
外部装置２ｃは、さらに保全情報取得部２４を有している。保全情報取得部２４は、例えばオンラインでフィールド機器１９から保全情報を取得する。保全機器１０ａは、外部装置２ｃにおいて取得された、例えばオンラインの保全情報をさらに取得することができる。
以上で、図１３を用いた、機器保全装置１０ａを含む機器保全システムの構成の説明を終了する。
【０１１２】
なお、本実施形態においては、機器保全装置は、リスト作成部を有し、保全対象の機器に対する保全項目をリストにした保全リストを作成する場合を説明したが、例えば、機器保全装置は、保全リスト作成部を有しないものであってもよい。すなわち、機器保全装置は、他の装置において作成された保全リストを取得して、取得した保全リストを用いるものであってもよい。例えば、機器保全装置は、機器の保全に係る保全情報を表示する保全情報表示部と、保全対象の機器に対する保全項目をリストにした保全リストを取得するリスト取得部と、表示された前記保全情報とともに取得された前記保全リストを表示して、前記保全項目を指定可能にするリスト表示部と、前記保全項目が指定された前記機器と所定の通信プロトコルを介して通信可能に接続するする通信部と、接続された前記機器に対して指定された前記保全項目に基づく保全を実行する保全実行部とを備え、前記リスト表示部は、保全が実行された前記保全項目の表示態様を変更して前記保全リストを表示するものであってもよい。
【０１１３】
また、本実施形態において、リスト表示部は、表示された保全情報とともに作成された保全リストを表示して、保全項目を指定可能にする場合を説明したが、保全項目を指定可能に表示するのは、他の機能であってもよい。本実施形態では、図４等で説明したように、ＴｏＤｏリストを表示して、ＴｏＤｏリストで表示された保全項目を選択するようにしたが、例えば、ＴｏＤｏリストには保全項目を選択をするための表示を含まず、「ＴＡＧ１」等の作業対象を選択したときに保全項目が選択可能な表示をＴｏＤｏリストの表示とは別個にするようにしてもよい。
【０１１４】
また、本実施形態において、リスト表示部は、保全情報とともに保全リストを表示する方法として、図３に示したように、保全情報の画面にＴｏＤｏリストを別ウインドウで表示する場合を説明したが、ＴｏＤｏリストは、例えば、保全情報を表示している表示画面の所定の表示領域に表示されるようにしてもよい。また、ＴｏＤｏリストは、保全情報を表示している表示画面と切り替え可能に表示するようにしてもよい。すなわち、本実施形態における保全リストの表示とは、表示画面に表示する表示データが作成されている状態を含んでいてもよい。例えば、タッチパネルに表示されている表示画面が作成されている表示画面の領域の一部であって、表示する領域を切り替えることによってＴｏＤｏリストを表示してもよい。
【０１１５】
また、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０１１７】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１１８】
１、１０、１０ａ    機器保全装置
２ａ、２ｂ、２ｃ    外部装置
１１                ＣＰＵ
１２                ＲＡＭ
１３                ＲＯＭ
１４                ＨＤＤ
１５                タッチパネル
１６                通信Ｉ／Ｆ
１７                カードスロット
１９                フィールド機器
１１０              ＴｏＤｏリストシステム
１１１              リスト作成部
１１２              リスト表示部
１１３              保全指定部
１１４              リスト保存部
１１５              保全情報取得部
１１６              プロセス監視部
１１７              リスト取得部
１２０              Ｉ／Ｆ部
１３０              作業支援ツール
１３１              保全実行部
１３１１            設定部
１３１２            確認部
１３１３            調整部
１３２              通信部
１３３              保全情報保存部
１３４              保全情報表示部
【図１】
2019016413.tif 000003
【図２】
2019016413.tif 000004
【図３】
2019016413.tif 000005
【図４】
2019016413.tif 000006
【図５】
2019016413.tif 000007
【図６】
2019016413.tif 000008
【図７】
2019016413.tif 000009
【図８】
2019016413.tif 000010
【図９】
2019016413.tif 000011
【図１０】
2019016413.tif 000012
【図１１】
2019016413.tif 000013
【図１２】
2019016413.tif 000014
【図１３】
2019016413.tif 000015